(57)【特許請求の範囲】
【請求項１】
貯留槽部（２）と、スラリー投入パイプ部（３）と、スラリー排出パイプ部（４）と、集ガス部（５）と、上遮水シート部（６）から構成され、
貯留槽部（２）は、設置を所望する箇所の地面に盛土により構成された底面部（２Ａ）と、この底面部の周囲に平面方形に連設された側壁面部（２Ｂ）と、側壁面部（２Ｂ）の内面に形成された法面（２Ｂ１）と、底面部（２Ａ）の表面、側壁面部（２Ｂ）の法面（２Ｂ１）と側壁面部の上面（２Ｂ２）を覆うように敷設されたプラスチックシートでなる下遮水シート（２Ｃ）から構成され、
スラリー投入パイプ部（３）は、パイプで構成され、内方端（３Ａ）は貯留槽部（２）に開口され、
スラリー排出パイプ部（４）は、パイプで構成され、内方端（４Ａ）は貯留槽部（２）における底面部（２Ａ）の中央に連結連通されていると共に、外方端（４Ｂ）は貯留槽部（２）の外側に設けた外部貯留槽（４Ｃ）の底部に連結され、外気に連通するよう構成され、
集ガス部（５）は、フロート（５Ａ）と、集ガスパイプ（５Ｂ）と、ガス抜きパイプ（５Ｃ）から構成され、フロート（５Ａ）は、通気性を有する布で構成された袋（５Ａ１）と、この袋内に充填された浮き用部材（５Ａ２）と、袋（５Ａ１）の下面における所定箇所に吊りひも（５Ａ３１）を介して連結された重り（５Ａ３）から構成され、集ガスパイプ（５Ｂ）は、両端面が密閉された横パイプ（５Ｂ１）と、この横パイプの上面に開設された多数の吸引穴（５Ｂ２）から構成され、ガス抜きパイプ（５Ｃ）は、パイプで構成され、内方端（５Ｃ１）は集ガスパイプ（５Ｂ）と袋（５Ａ１）を下方から貫通し集ガスパイプ（５Ｂ）の下面中央に連結連通されていると共に、外方端（５Ｃ２）は外気に開口され、
上遮水シート部（６）は、プラスチックシートを素材として貯留槽部（２）の上面開口部の寸法より大きい面積に構成され、貯留槽部（２）内のスラリー（８）や集ガス部（５）の上面を確実に覆うよう敷設されていることを特徴とする廃棄物処理場。
【請求項２】
貯留槽部（２）と、スラリー投入パイプ部（３）と、スラリー排出パイプ部（４）と、集ガス部（５）と、上遮水シート部（６）と、雨水排出兼冷却装置（７）から構成されているものにおいて、集ガス部（５）は、フロート（５Ａ）と、集ガスパイプ（５Ｂ）と、ガス抜きパイプ（５Ｃ）から構成され、貯留槽部内のスラリーなどより発生し上遮水シート部の下面に溜ったガスを捕集し外気に排出するよう構成され、雨水排出兼冷却装置（７）は、雨水排出装置（７Ａ）と冷却装置（７Ｂ）から構成され、上遮水シート部の上面に溜った雨水、融雪水を貯留槽部の外部に排水したり、貯留槽部の側壁面部における法面に上方から散水したり、貯留槽部の外部に排水しながら貯留槽部の側壁面部における法面に上方から散水するよう構成されていることを特徴とする廃棄物処理場。
【請求項３】
貯留槽部（２）と、スラリー投入パイプ部（３）と、スラリー排出パイプ部（４）と、集ガス部（５）と、上遮水シート部（６）と、雨水排出兼冷却装置（７）から構成され、
貯留槽部（２）は、設置を所望する箇所の地面に盛土により構成された底面部（２Ａ）と、この底面部の周囲に平面方形に連設された側壁面部（２Ｂ）と、側壁面部（２Ｂ）の内面に形成された法面（２Ｂ１）と、底面部（２Ａ）の表面、側壁面部（２Ｂ）の法面（２Ｂ１）と側壁面部の上面（２Ｂ２）を覆うように敷設されたプラスチックシートでなる下遮水シート（２Ｃ）から構成され、
スラリー投入パイプ部（３）は、パイプで構成され、内方端（３Ａ）は貯留槽部（２）に開口され、
スラリー排出パイプ部（４）は、パイプで構成され、内方端（４Ａ）は貯留槽部（２）における底面部（２Ａ）の中央に連結連通されていると共に、外方端（４Ｂ）は貯留槽部（２）の外側に設けた外部貯留槽（４Ｃ）の底部に連結され、外気に連通するよう構成され、
集ガス部（５）は、フロート（５Ａ）と、集ガスパイプ（５Ｂ）と、ガス抜きパイプ（５Ｃ）から構成され、フロート（５Ａ）は、通気性を有する布で構成された袋（５Ａ１）と、この袋内に充填された浮き用部材（５Ａ２）と、袋（５Ａ１）の下面における所定箇所に吊りひも（５Ａ３１）を介して連結された重り（５Ａ３）から構成され、集ガスパイプ（５Ｂ）は、両端面が密閉された横パイプ（５Ｂ１）と、この横パイプの上面に開設された多数の吸引穴（５Ｂ２）から構成され、ガス抜きパイプ（５Ｃ）は、パイプで構成され、内方端（５Ｃ１）は集ガスパイプ（５Ｂ）と袋（５Ａ１）を下方から貫通し集ガスパイプ（５Ｂ）の下面中央に連結連通されていると共に、外方端（５Ｃ２）は外気に開口され、
上遮水シート部（６）は、プラスチックシートを素材として貯留槽部（２）の上面開口部の寸法より大きい面積に構成され、貯留槽部（２）内のスラリー（８）や集ガス部（５）の上面を確実に覆うよう敷設され、
雨水排出兼冷却装置（７）は、雨水排出装置（７Ａ）と冷却装置（７Ｂ）から構成され、雨水排出装置（７Ａ）は、上遮水シート部（６）上の所定箇所に配設されたポンプ（７Ａ１）と、このポンプ（７Ａ１）から貯水槽部の外部の排水溝（１０）に引出された排出パイプ（７Ａ２）から構成され、冷却装置（７Ｂ）は、雨水排出装置における排出パイプ（７Ａ２）の途中に配設された切替えバルブ（７Ｂ１）と、切替えバルブより分岐され、かつ貯水槽部（２）における側壁面部（２Ｂ）の上面に配管された散水パイプ（７Ｂ２）と、散水パイプの内周面に所定間隔をもって取付けられたスプリンクラー（７Ｂ３）から構成され、スプリンクラーは、側壁面部（２Ｂ）における法面（２Ｂ１）に上方から散水するよう構成されていることを特徴とする廃棄物処理場。
【請求項４】
集ガス部（５）における重り（５Ａ３）は、貯留槽部（２）の底面部に接している請求項１あるいは請求項３記載の廃棄物処理場。
【請求項５】
集ガス部（５）における集ガスパイプ（５Ｂ）と袋（５Ａ１）の上方面（５Ａ１１）がひもなどで連結されている請求項１あるいは請求項３記載の廃棄物処理場。
【請求項６】
ガス抜きパイプ（５Ｃ）は、スラリー排出パイプ部（４）内に配管されている請求項１、請求項２、請求項３のいずれかに記載の廃棄物処理場。
【請求項７】
上遮水シート部（６）のシートに比重の大きい材質の厚生地シートが使用されている請求項１、請求項２、請求項３のいずれかに記載の廃棄物処理場。
【請求項８】
上遮水シート部（６）を構成するプラスチックシートは透明なもので構成されている請求項１、請求項２、請求項３のいずれかに記載の廃棄物処理場。
【発明の詳細な説明】
【０００１】
【発明の属する技術分野】
本発明は、例えば家畜糞尿（スラリー）などの有機性廃棄物の処理に好適な廃棄物処理場に関するものである。
詳しくは、プラスチックシートを用いた廃棄物処理場における有機性廃棄物からの発酵ガスの採取ができる構造と、このような廃棄物処理場における露出部分を太陽光線による劣化から保護し防止する構造に関するものである。
【０００２】
【従来の技術】
従来、提供されている所謂遮水シート敷設型ラグーンは、下記のような構成となっている。
盛土の側壁で構成されたくぼみ部の内面に、ゴム系シートが張設された貯留槽部と、スラリー投入・排出ホースと、防水シートと、防水シートの上面に配された雨水排水ホースなどから構成されている。
貯留槽部内のスラリーは防水シートで覆われ、防水シート上の雨水は雨水排水ホースで排水される。
【０００３】
【発明が解決しようとする課題】
従来の技術で述べたものにあっては、下記のような問題点を有していた。
１．スラリーから発生したガスが防水シートの下面に溜り、スラリーの円滑な処理を不可能にしてしまう。
２．盛土の側壁における上方部分が異常高温のため、ゴム系シートや防水シートが熱劣化してしまう。
【０００４】
本発明は、従来の技術の有するこのような問題点に鑑みなされたものであり、その目的とするところは、上述の問題を解決できるものを提供しようとするものである。
【０００５】
【課題を解決するための手段】
上記目的を達成するために、本発明は下記のようになるものである。
【０００６】
１．請求項１記載の発明は、貯留槽部２と、スラリー投入パイプ部３と、スラリー排出パイプ部４と、集ガス部５と、上遮水シート部６から構成され、
Ａ．貯留槽部２は、設置を所望する箇所の地面に盛土により構成された底面部２Ａと、この底面部の周囲に平面方形に連設された側壁面部２Ｂと、側壁面部２Ｂの内面に形成された法面２Ｂ１と、底面部２Ａの表面、側壁面部２Ｂの法面２Ｂ１と側壁面部の上面２Ｂ２を覆うように敷設されたプラスチックシートでなる下遮水シート２Ｃから構成され、
Ｂ．スラリー投入パイプ部３は、パイプで構成され、内方端３Ａは貯留槽部２に開口され、
Ｃ．スラリー排出パイプ部４は、パイプで構成され、内方端４Ａは貯留槽部２における底面部２Ａの中央に連結連通されていると共に、外方端４Ｂは貯留槽部２の外側に設けた外部貯留槽４Ｃの底部に連結され、外気に連通するよう構成され、
Ｄ．集ガス部５は、フロート５Ａと、集ガスパイプ５Ｂと、ガス抜きパイプ５Ｃから構成され、フロート５Ａは、通気性を有する布で構成された袋５Ａ１と、この袋内に充填された浮き用部材５Ａ２と、袋５Ａ１の下面における所定箇所に吊りひも５Ａ３１を介して連結された重り５Ａ３から構成され、集ガスパイプ５Ｂは、両端面が密閉された横パイプ５Ｂ１と、この横パイプの上面に開設された多数の吸引穴５Ｂ２から構成され、ガス抜きパイプ５Ｃは、パイプで構成され、内方端５Ｃ１は集ガスパイプ５Ｂと袋５Ａ１を下方から貫通し集ガスパイプ５Ｂの下面中央に連結連通されていると共に、外方端５Ｃ２は外気に開口され、
Ｅ．上遮水シート部６は、プラスチックシートを素材として貯留槽部２の上面開口部の寸法より大きい面積に構成され、貯留槽部２内のスラリー８や集ガス部５の上面を確実に覆うよう敷設されていることを特徴としている。
【０００７】
２．請求項２記載の発明は、貯留槽部２と、スラリー投入パイプ部３と、スラリー排出パイプ部４と、集ガス部５と、上遮水シート部６と、雨水排出兼冷却装置７から構成されているものにおいて、集ガス部５は、フロート５Ａと、集ガスパイプ５Ｂと、ガス抜きパイプ５Ｃから構成され、貯留槽部内のスラリーなどより発生し上遮水シート部の下面に溜ったガスを捕集し外気に排出するよう構成され、雨水排出兼冷却装置７は、雨水排出装置７Ａと冷却装置７Ｂから構成され、上遮水シート部の上面に溜った雨水、融雪水を貯留槽部の外部に排水したり、貯留槽部の側壁面部における法面に上方から散水したり、貯留槽部の外部に排水しながら貯留槽部の側壁面部における法面に上方から散水するよう構成されていることを特徴としている。
【０００８】
３．請求項３記載の発明は、貯留槽部２と、スラリー投入パイプ部３と、スラリー排出パイプ部４と、集ガス部５と、上遮水シート部６と、雨水排出兼冷却装置７から構成され、
Ａ．貯留槽部２は、設置を所望する箇所の地面に盛土により構成された底面部２Ａと、この底面部の周囲に平面方形に連設された側壁面部２Ｂと、側壁面部２Ｂの内面に形成された法面２Ｂ１と、底面部２Ａの表面、側壁面部２Ｂの法面２Ｂ１と側壁面部の上面２Ｂ２を覆うように敷設されたプラスチックシートでなる下遮水シート２Ｃから構成され、
Ｂ．スラリー投入パイプ部３は、パイプで構成され、内方端３Ａは貯留槽部２に開口され、
Ｃ．スラリー排出パイプ部４は、パイプで構成され、内方端４Ａは貯留槽部２における底面部２Ａの中央に連結連通されていると共に、外方端４Ｂは貯留槽部２の外側に設けた外部貯留槽４Ｃの底部に連結され、外気に連通するよう構成され、
Ｄ．集ガス部５は、フロート５Ａと、集ガスパイプ５Ｂと、ガス抜きパイプ５Ｃから構成され、
フロート５Ａは、通気性を有する布で構成された袋５Ａ１と、この袋内に充填された浮き用部材５Ａ２と、袋５Ａ１の下面における所定箇所に吊りひも５Ａ３１を介して連結された重り５Ａ３から構成され、
集ガスパイプ５Ｂは、両端面が密閉された横パイプ５Ｂ１と、この横パイプの上面に開設された多数の吸引穴５Ｂ２から構成され、
ガス抜きパイプ５Ｃは、パイプで構成され、内方端５Ｃ１は集ガスパイプ５Ｂと袋５Ａ１を下方から貫通し集ガスパイプ５Ｂの下面中央に連結連通されていると共に、外方端５Ｃ２は外気に開口され、
Ｅ．上遮水シート部６は、プラスチックシートを素材として貯留槽部２の上面開口部の寸法より大きい面積に構成され、貯留槽部２内のスラリー８や集ガス部５の上面を確実に覆うよう敷設され、
Ｆ．雨水排出兼冷却装置７は、雨水排出装置７Ａと冷却装置７Ｂから構成され、
雨水排出装置７Ａは、上遮水シート部６上の所定箇所に配設されたポンプ７Ａ１と、このポンプ７Ａ１から貯水槽部の外部の排水溝１０に引出された排出パイプ７Ａ２から構成され、
冷却装置７Ｂは、雨水排出装置における排出パイプ７Ａ２の途中に配設された切替えバルブ７Ｂ１と、切替えバルブより分岐され、かつ貯水槽部２における側壁面部２Ｂの上面に配管された散水パイプ７Ｂ２と、散水パイプの内周面に所定間隔をもって取付けられたスプリンクラー７Ｂ３から構成され、スプリンクラーは、側壁面部２Ｂにおける法面２Ｂ１に上方から散水するよう構成されていることを特徴としている。
【０００９】
４．請求項４記載の発明は、請求項１あるいは請求項３記載の発明において、集ガス部５における重り５Ａ３は、貯留槽部２の底面部に接していることを特徴としている。
５．請求項５記載の発明は、請求項１あるいは請求項３記載の発明において、集ガス部５における集ガスパイプ５Ｂと袋５Ａ１の上方面５Ａ１１がひもなどで連結されていることを特徴としている。
６．請求項６記載の発明は、請求項１、請求項２、請求項３のいずれかに記載の発明において、ガス抜きパイプ５Ｃは、スラリー排出パイプ部４内に配管されていることを特徴としている。
７．請求項７記載の発明は、請求項１、請求項２、請求項３のいずれかに記載の発明において、上遮水シート部６のシートに比重の大きい材質の厚生地シートが使用されていることを特徴としている。
８．請求項８記載の発明は、請求項１、請求項２、請求項３のいずれかに記載の発明において、上遮水シート部６を構成するプラスチックシートは透明なもので構成されていることを特徴としている。
【００１０】
【発明の実施の形態】
以下、本発明の実施の形態を実施例にもとづき図面を参照して説明する。
１は第１発明の廃棄物処理場で、貯留槽部２と、スラリー投入パイプ部３と、スラリー排出パイプ部４と、集ガス部５と、上遮水シート部６から構成されている。
この第１発明は、有機性廃棄物の処理から発生する発酵ガスの採取装置を有する廃棄物処理装置とも云うべきものである。
【００１１】
Ａ．貯留槽部２は、設置を所望する箇所の地面に盛土により構成された底面部２Ａと、この底面部の周囲に平面方形に連設された側壁面部２Ｂと、側壁面部２Ｂの内面に形成された法面２Ｂ１と、底面部２Ａの表面、側壁面部２Ｂの法面２Ｂ１と上面２Ｂ２を覆うように敷設されたプラスチックシートでなる下遮水シート２Ｃから構成されている。
Ｂ．スラリー投入パイプ部３は、多少の弾力性を有するプラスチックパイプで構成され、内方端３Ａは貯留槽部２に開口されている。
Ｃ．スラリー排出パイプ部４は、多少の弾力性を有するプラスチックパイプで構成され、内方端４Ａは貯留槽部２における底面部２Ａの中央に連結連通されていると共に、外方端４Ｂは貯留槽部２の外側に設けた外部貯留槽４Ｃの底部に連結され、外気に連通するよう構成されている。
【００１２】
Ｄ．集ガス部５は、フロート５Ａと、集ガスパイプ５Ｂと、ガス抜きパイプ５Ｃから構成されている。
ａ．フロート５Ａは、通気性を有する布で構成された袋５Ａ１と、この袋内に充填された浮き用部材５Ａ２と、袋５Ａ１の下面における所定箇所に吊りひも５Ａ３１を介して連結された重り５Ａ３から構成されている。
そして、この重り５Ａ３は、貯留槽部２の底面部に接している。
浮き用部材５Ａ２としては発泡プラスチック片が好適である。
なお、発泡プラスチック片としては、漁業用浮上材、廃棄発泡容器片などが好適である。
ｂ．集ガスパイプ５Ｂは、両端面が密閉された横パイプ５Ｂ１と、この横パイプの上面に開設された多数の吸引穴５Ｂ２から構成されている。
なお、この集ガスパイプ５Ｂはフロート５Ａにおける袋５Ａ１の上方に位置するよう構成されている。
この場合、当該集ガスパイプ５Ｂと袋５Ａ１の上方面５Ａ１１をひも（図示略）で連結しておくとよい。
ｃ．ガス抜きパイプ５Ｃは、多少の弾力性を有するプラスチックパイプで構成され、内方端５Ｃ１は集ガスパイプ５Ｂと袋５Ａ１を下方から貫通し集ガスパイプ５Ｂの下面中央に連結連通されていると共に、外方端５Ｃ２は外気に開口されている。
なお、ガス抜きパイプ５Ｃは、図示のようにスラリー排出パイプ部４内に配管することができる。
【００１３】
Ｅ．上遮水シート部６は、プラスチックシートを素材として貯留槽部２の上面開口部の寸法より大きい面積に構成され、貯留槽部２内のスラリー８や集ガス部５の上面を確実に覆うよう敷設されている。
プラスチックシートとしては、塩化ビニール系、ネオプレーン、ジオプレーン系シートまたは合成ゴムで構成されている。
上遮水シート部６のシートに比重の大きい材質の厚生地シートを使用することで、厚生地シートの加重によりスラリーの表面と密着することになり、風にあおられることを防止できる。
この場合、上遮水シート部６を構成するプラスチックシートを透明なもので構成すると、スラリーが太陽熱を吸収し温度上昇を図ることができる。
また、６Ａは上遮水シート部６の外周に所定間隔をもって添着された筒状袋で、６Ｂはこの筒状袋を貫通させたパイプである。これにより当該上遮水シート部を安定した状態で敷設することができる。
当然、下遮水シート２Ｃにも同様の筒状袋、パイプを用いることができる。
さらに、図４を参照して、下遮水シート、上遮水シート部の外周をパイプ６Ｂに巻付け、この部分を長手方向に切目を入れたパイプ２Ｅで外方から挟持するように構成することができる。
図中、２Ｄは下遮水シート、上遮水シート部の外周上面に必要に応じて載置した土のうである。
【００１４】
１１は第２発明の廃棄物処理場で、貯留槽部２と、スラリー投入パイプ部３と、スラリー排出パイプ部４と、集ガス部５と、上遮水シート部６と、雨水排出兼冷却装置７から構成されている。
この第２発明は、有機性廃棄物の処理から発生する発酵ガスの採取装置と、雨水排出兼冷却装置を有する廃棄物処理装置とも云うべきものである。
【００１５】
Ａ．貯留槽部２は、設置を所望する箇所の地面に盛土により構成された底面部２Ａと、この底面部の周囲に平面方形に連設された側壁面部２Ｂと、側壁面部２Ｂの内面に形成された法面２Ｂ１と、底面部２Ａの表面、側壁面部２Ｂの法面２Ｂ１と上面２Ｂ２を覆うように敷設されたプラスチックシートでなる下遮水シート２Ｃから構成されている。
Ｂ．スラリー投入パイプ部３は、多少の弾力性を有するプラスチックパイプで構成され、内方端３Ａは貯留槽部２に開口されている。
Ｃ．スラリー排出パイプ部４は、多少の弾力性を有するプラスチックパイプで構成され、内方端４Ａは貯留槽部２における底面部２Ａの中央に連結連通されていると共に、外方端４Ｂは貯留槽部２の外側に設けた外部貯留槽４Ｃの底部に連結され、外気に連通するよう構成されている。
【００１６】
Ｄ．集ガス部５は、フロート５Ａと、集ガスパイプ５Ｂと、ガス抜きパイプ５Ｃから構成されている。
ａ．フロート５Ａは、通気性を有する布で構成された袋５Ａ１と、この袋内に充填された浮き用部材５Ａ２と、袋５Ａ１の下面における所定箇所に吊りひも５Ａ３１を介して連結された重り５Ａ３から構成されている。
そして、この重り５Ａ３は、貯留槽部２の底面部に接している。
浮き用部材５Ａ２としては発泡プラスチック片が好適である。
なお、発泡プラスチック片としては、漁業用浮上材、廃棄発泡容器片などが好適である。
ｂ．集ガスパイプ５Ｂは、両端面が密閉された横パイプ５Ｂ１と、この横パイプの上面に開設された多数の吸引穴５Ｂ２から構成されている。
なお、この集ガスパイプ５Ｂはフロート５Ａにおける袋５Ａ１の上方に位置するよう構成されている。
この場合、当該集ガスパイプ５Ｂと袋５Ａ１の上方面５Ａ１１をひも（図示略）で連結しておくとよい。
ｃ．ガス抜きパイプ５Ｃは、多少の弾力性を有するプラスチックパイプで構成され、内方端５Ｃ１は集ガスパイプ５Ｂと袋５Ａ１を下方から貫通し集ガスパイプ５Ｂの下面中央に連結連通されていると共に、外方端５Ｃ２は外気に開口されている。
なお、ガス抜きパイプ５Ｃは、図示のようにスラリー排出パイプ部４内に配管することができる。
【００１７】
Ｅ．上遮水シート部６は、プラスチックシートを素材として貯留槽部２の上面開口部の寸法より大きい面積に構成され、貯留槽部２内のスラリー８や集ガス部５の上面を確実に覆うよう敷設されている。
プラスチックシートとしては、塩化ビニール系、ネオプレーン、ジオプレーン系シートまたは合成ゴムで構成されている。
上遮水シート部６のシートに比重の大きい材質の厚生地シートを使用することで、厚生地シートの加重によりスラリーの表面と密着することになり、風にあおられることを防止できる。
この場合、上遮水シート部６を構成するプラスチックシートを透明なもので構成すると、スラリーが太陽熱を吸収し温度上昇を図ることができる。
また、６Ａは上遮水シート部６の外周に所定間隔をもって添着された筒状袋で、６Ｂはこの筒状袋を貫通させたパイプである。これにより当該上遮水シート部を安定した状態で敷設することができる。
当然、下遮水シート２Ｃにも同様の筒状袋、パイプを用いることができる。
さらに、図１１を参照して、下遮水シート、上遮水シート部の外周をパイプ６Ｂに巻付け、この部分を長手方向に切目を入れたパイプ２Ｅで外方から挟持するように構成することができる。
図中、２Ｄは下遮水シート、上遮水シート部の外周上面に必要に応じて載置した土のうである。
【００１８】
Ｆ．雨水排出兼冷却装置７は、雨水排出装置７Ａと冷却装置７Ｂから構成されている。  ａ．雨水排出装置７Ａは、上遮水シート部６上の所定箇所に配設されたポンプ７Ａ１と
、このポンプ７Ａ１から貯水槽部の外部の排水溝１０に引出された排出パイプ７Ａ２から
構成されている。
この雨水排出装置７Ａによって上遮水シート部６の上面に溜った雨水、融雪水９などを排水する。
ｂ．冷却装置７Ｂは、雨水排出装置における排出パイプ７Ａ２の途中に配設された切替えバルブ７Ｂ１と、切替えバルブより分岐され、かつ貯水槽部２における側壁面部２Ｂの上面に配管された散水パイプ７Ｂ２と、散水パイプの内周面に所定間隔をもって取付けられたスプリンクラー７Ｂ３から構成され、スプリンクラーは、側壁面部２Ｂにおける法面２Ｂ１に上方から散水するよう構成されている。
なお、最初、上遮水シート部６上に水が溜っていない場合は、外部の上方より別途注水を行うことになる。
【００１９】
【発明の効果】
本発明は、上述の通り構成されているので次に記載する効果を奏する。
第１発明について
１．スラリーなどから発生したガスを集ガス部で捕集し、自然自己発生ガス圧で他へ移送できる。
２．本発明のものは、所謂シート状埋設型に構成されているので、任意の規模に構成し、メタン醗酵でタンクを作ることができる。
３．廃棄物発泡プラスチックを使用できるので、リサイクル商品とすることができる。
４．貯水槽部内に投入されたスラリーなどを、下遮水シートと上遮水シート部により外
気と遮断して確実に管理することができる。
５．このほか、安価に製造できる、部品点数が少ないので組立が容易である、経済的である、などの効果をも有するものである。
【００２０】
第２発明について
１．第１発明で期待できる作用効果のほか、下記の諸効果を期待することができる。
２．雨水排出装置によって上遮水シート部の上面に溜った雨水、融雪水などを排水溝に排水することができる。
３．冷却装置における切替えバルブにより上遮水シート部の上面に溜った雨水、融雪水を散水パイプに導入し、スプリンクラーにより側壁面部における法面に上方から散水することができる。
この結果、盛土の側壁面部における上方部分が異常高温の状態になっても、下遮水シートと上遮水シート部の熱劣化を確実に防止することができる。
この場合、切替えバルブの操作により上遮水シート部の上面に溜った雨水、融雪水の一部をスプリンクラーにより散水し、残りを排水溝に排水することもできる。
上遮水シート部の上面に溜った雨水、融雪水の全部をスプリンクラーにより散水したり、あるいは全部を排水溝に排水することもできる。
【図面の簡単な説明】
【図１】  第１発明の略図的平面図である。
【図２】  Ａ−Ａ線断面図である。
【図３】  同上の要部拡大図である。
【図４】  図３における要部拡大図である。
【図５】  断面図的に示した構成図である。
【図６】  集ガス部を中心に見た斜視図である。
【図７】  第２発明の略図的平面図である。
【図８】  Ｂ−Ｂ線断面図である。
【図９】  断面図的に示した構成図である。
【図１０】  断面図的に示した構成図である。
【図１１】  図１０における要部拡大図である。
【図１２】  集ガス部を中心に見た斜視図である。
【図１３】  雨水排出兼冷却装置を中心に見た縦断面図である。
【図１４】  雨水排出兼冷却装置の作用を説明する１部を切欠いた縦断面図である。
【図１５】  雨水排出兼冷却装置の作用を説明する１部を切欠いた要部拡大斜視図である。
【符号の説明】
１  第１発明の廃棄物処理場
２  貯留槽部
３  スラリー投入パイプ部
４  スラリー排出パイプ部
５  集ガス部
６  上遮水シート部
１１  第２発明の廃棄物処理場
７  雨水排出兼冷却装置
８  スラリー
９  雨水、融雪水
１０  排水溝
【図１】
0003670930.tif 000002
【図２】
0003670930.tif 000003
【図４】
0003670930.tif 000004
【図５】
0003670930.tif 000005
【図６】
0003670930.tif 000006
【図８】
0003670930.tif 000007
【図１１】
0003670930.tif 000008
【図１２】
0003670930.tif 000009
【図１３】
0003670930.tif 000010
【図１４】
0003670930.tif 000011
【図１５】
0003670930.tif 000012
【図３】
0003670930.tif 000013
【図７】
0003670930.tif 000014
【図９】
0003670930.tif 000015
【図１０】
0003670930.tif 000016